(57)【要約】      （修正有）【課題】地図画像表示制御システム及びこれに用いるプログラムに関し、ユーザーが訪れたい観光スポットをイメージ可能なアイコンを選択し、当該アイコンを地図上に移動操作（ドラッグ・アンド・ドロップ）することで、オリジナルな地図を作成して携行することができる地図画像表示制御システムを提供する。【解決手段】地図画像表示制御プログラムは、アイコンデータに格納されたアイコン画像70の一つが、表示部21に表示された地図画像50上に移動操作された場合に、アイコン画像70に付属する位置情報記憶領域に予め記憶された観光スポット位置情報を読み出し、観光スポット位置情報と一致する緯度経度情報を有するポイントに向かってアイコン画像70を地図画像50上において移動させた後、ポイントにアイコン画像70を貼り付けるようにした。【選択図】図６
2014224900.tif 000002
【特許請求の範囲】
【請求項１】
緯度経度情報を有する地図画像を記憶した記憶部と、
前記記憶部に記憶された前記地図画像を表示可能な表示部と、
外部データを取り込み可能な外部データ取込部と、
現在地の経度緯度から構成される現在位置情報を取得可能な位置情報取得部と、
各種操作が可能な操作部と、
を備える携帯情報表示端末を前提とし、
前記外部データには、
観光スポットをイメージ可能な複数個のアイコン画像を格納したアイコンデータと、
前記アイコンデータに格納されたアイコン画像を前記表示部に表示させるための地図画像表示制御プログラムとを含み、
前記アイコンデータには、
前記アイコンデータに付属する観光データ格納領域を含み、
前記観光データ格納領域には、
前記アイコン画像の観光スポットの緯度経度から構成される観光スポット位置情報が予め記憶された位置情報記憶領域と、
前記アイコン画像の観光スポットの名称が予め記憶された観光スポット名記憶領域と、
画像データを記憶可能な画像記憶領域と、
文字データを記憶可能な文字記憶領域とを含み、
前記地図画像表示制御プログラムは、
前記アイコンデータに格納された前記アイコン画像の一つが、前記表示部に表示された前記地図画像上に移動操作された場合に、当該アイコン画像に付属する前記位置情報記憶領域に予め記憶された前記観光スポット位置情報を読み出し、当該観光スポット位置情報と一致する前記緯度経度情報を有するポイントに向かって前記アイコン画像を前記地図画像上において移動させた後、当該ポイントに前記アイコン画像を貼り付けるようにした地図画像表示制御システム。
【請求項２】
前記アイコン画像には、
移動体を模した移動アイコン画像を含み、
前記地図画像表示制御プログラムは、
前記移動アイコン画像が前記表示部に表示された前記地図画像上に移動操作された場合に、前記位置情報取得部が取得した前記現在位置情報と一致する前記緯度経度情報を有するポイントに向かって前記移動アイコン画像を前記地図画像上において移動させた後、前記現在位置情報が更新される度に、当該現在位置情報と一致する前記緯度経度情報を有するポイントに向かって前記移動アイコン画像を連続的に移動させるようにした請求項１に記載の地図画像表示制御システム。
【請求項３】
前記アイコン画像には、
前記位置情報記憶領域に観光スポット位置情報が記憶されていないフリーアイコン画像を含み、
前記地図画像表示制御プログラムは、
前記フリーアイコン画像が前記表示部に表示された前記地図画像上に移動操作された場合に、当該位置の前記地図画像上の移動経度情報を前記位置情報記憶領域に記憶するようにした請求項１又は請求項２に記載の地図画像表示制御システム。
【請求項４】
前記外部データ取込部は、
ネットワークを通じてマップ情報提供サーバーに接続するための通信部から構成し、
前記マップ情報提供サーバーは、
前記アイコンデータを蓄積し、
前記携帯情報表示端末の前記通信部を通じて、前記アイコンデータの要求があった場合に、当該携帯情報表示端末に前記アイコンデータを送信することを特徴とする請求項１〜３のいずれか１項に記載の地図画像表示制御システム。
【請求項５】
前記携帯情報表示端末は、
画像を撮影可能な撮影部を備え、
前記地図画像表示制御プログラムは、
前記撮影部により撮影された撮影画像を、当該撮影の前後の少なくとも一方にアクティブにされた前記アイコン画像に付属する前記画像記憶領域に記憶するようにしたことを特徴とする請求項１〜４のいずれか１項に記載の地図画像表示制御システム。
【請求項６】
前記観光データ格納領域には、
観光スポットを訪れたことがあるか否かの別をフラグ情報として記憶可能なフラグ格納領域を含み、
前記地図画像表示制御プログラムは、
前記位置情報取得部が取得した現在位置情報から所定距離離れた位置に貼り付けられた前記アイコン画像を検索し、検索の結果、前記アイコン画像が存在した場合に、当該アイコン画像に付属する前記フラグ格納領域に訪問済みのフラグを立て、
前記訪問済みのフラグが立っていることを条件に、前記アイコン画像の表示形態を変化させるようにした請求項１〜５のいずれか１項に記載の地図画像表示制御システム。
【請求項７】
前記観光データ格納領域には、
観光スポットを訪れたことがあるか否かの別をフラグ情報として記憶するフラグ格納領域を含み、
前記地図画像表示制御プログラムは、
前記撮影部により撮影された撮影画像が前記画像記憶領域に記憶されたことを条件に、当該画像記憶領域を含む前記アイコン画像に付属する前記フラグ格納領域に訪問済みのフラグを立て、
前記訪問済みのフラグが立っていることを条件に、前記アイコン画像の表示形態を変化させるようにした請求項１〜５のいずれか１項に記載の地図画像表示制御システム。
【請求項８】
前記外部データには、
前記地図画像上に貼り付けられた複数の前記アイコン画像のうち、前記訪問済みのフラグが立っている前記アイコン画像を所定個数貼り付け可能なアイコンラリー画像を含み、
前記マップ情報提供サーバーは、
前記携帯情報表示端末の前記表示部で表示可能なサービス券画像を蓄積し、
前記所定個数の前記アイコン画像が貼り付られた前記アイコンラリー画像が、前記携帯情報表示端末の前記通信部を通じて送信された場合に、当該携帯情報表示端末に前記サービス券画像を返信することを特徴とする請求項６又は請求項７に記載の地図画像表示制御システム。
【請求項９】
緯度経度情報を有する地図画像を記憶した記憶部と、
前記記憶部に記憶された前記地図画像を表示可能な表示部と、
外部データを取り込み可能な外部データ取込部と、
現在地の経度緯度から構成される現在位置情報を取得可能な位置情報取得部と、
各種操作が可能な操作部と、
前記記憶部、前記表示部、前記外部データ取込部、前記位置情報取得部及び前記操作部にそれぞれ接続され、前記表示部に表示される画像を制御可能な中央制御装置とを備える携帯情報表示端末を前提とし、
前記外部データには、
観光スポットをイメージ可能な複数個のアイコン画像を格納したアイコンデータと、
前記アイコンデータに格納されたアイコン画像を前記表示部に表示させるための地図画像表示制御プログラムとを含み、
前記アイコンデータには、
前記アイコン画像データに付属する観光データ格納領域を含み、
前記観光データ格納領域には、
前記アイコンの観光スポットの緯度経度から構成される観光スポット位置情報が予め記憶された位置情報記憶領域と、
前記アイコンの観光スポットの名称が予め記憶された観光スポット名記憶領域と、
画像データを記憶可能な画像記憶領域と、
文字データを記憶可能な文字記憶領域とを含み、
前記地図画像表示制御プログラムが、
前記アイコンデータに格納された前記アイコン画像の一つが、前記表示部に表示された前記地図画像上に移動操作された場合に、当該アイコン画像に付属する前記位置情報記憶領域に予め記憶された前記観光スポット位置情報を読み出し、当該観光スポット位置情報と一致する前記緯度経度情報を有するポイントに向かって前記アイコン画像を前記地図画像上において移動させた後、当該ポイントに前記アイコン画像を貼り付けるように前記中央制御装置を機能させる携帯情報表示端末用のプログラム。
【発明の詳細な説明】
【技術分野】
【０００１】
この発明は、地図画像表示制御システム及びこれに用いるプログラムに関し、ユーザーが訪れたい観光スポットをイメージ可能なアイコンを選択し、当該アイコンを地図上に移動操作（ドラッグ・アンド・ドロップ）することで、オリジナルな地図を作成して携行することができるようにしたものである。
【背景技術】
【０００２】
従来、地図を表示するための地図データや、観光を推奨する複数の観光スポットの位置、つまりユーザーに推奨する行動を示すデータ（以降「イベントデータ」）を通信部を介して取得し、アイコンなどを用いて表示できるようにした携帯型行動記憶装置が知られている（特許文献１の段落番号「００１５」〜「００１７」及び図１参照）。
【先行技術文献】
【特許文献】
【０００３】
【特許文献１】特開２００９−２５８３１３号公報
【発明の概要】
【発明が解決しようとする課題】
【０００４】
しかし、上記した従来の装置では、観光を推奨する観光スポットを単にアイコンを用いて表示しているに過ぎず、ユーザーが観光スポットを自由に選択できないという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００５】
すなわち、請求項１に記載の発明は、ユーザーが訪れたい観光スポットをイメージ可能なアイコンを選択し、当該アイコンを地図上に移動操作（ドラッグ・アンド・ドロップ）することで、オリジナルな地図を作成して携行することができるようにしたものである。
これに加え、請求項１に記載の発明によれば、ユーザーが観光スポットの地図上の位置を気にすることなく、地図上の任意の位置にアイコンを移動操作（ドラッグ・アンド・ドロップ）するだけで、当該アイコンが緯度経度情報をもとに自動的に移動するようにしたので、当該移動を見て楽しむことができるばかりでなく、当該移動に注目することで、地図上の観光スポットのおおよその位置を把握でき、記憶や印象に残しやすいという利点がある。
（請求項２）
請求項２に記載の発明は、上記した請求項１に記載の発明の目的に加え、次の点を目的とする。
【０００６】
すなわち、請求項２に記載の発明は、表示部に表示される地図画像上において、現在位置の移動に伴って連続的に移動アイコンを移動表示させることで、現在位置や観光の進行状態をユーザーにわかりやすく表示させることができるようにしたものである。
（請求項３）
請求項３に記載の発明は、上記した請求項１又は請求項２に記載の発明の目的に加え、次の点を目的とする。
【０００７】
すなわち、請求項３に記載の発明は、フリーアイコンを表示部に表示される地図画像上の任意の位置に貼り付けることで、目印として利用したり、或いは観光スポットとは別な思い出のスポットを地図画像上に残しておくことができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、ネットワークを通じてマップ情報提供サーバーに接続することで、新規なアイコンを容易に入手することができるようにしたものである。
（請求項５）
請求項５に記載の発明は、上記した請求項１〜４のいずれか１項に記載の発明の目的に加え、次の点を目的とする。
【０００９】
すなわち、請求項５に記載の発明は、観光スポット別に画像を分類して保存することができるようにしたものである。
（請求項６）
請求項６に記載の発明は、上記した請求項１〜５のいずれか１項に記載の発明の目的に加え、次の点を目的とする。
【００１０】
すなわち、請求項６に記載の発明は、ユーザーが訪問した観光スポットを自動的に登録し、又、未訪問の観光スポットと区別して見ることができるようにしたものである。
（請求項７）
請求項７に記載の発明は、上記した請求項１〜５のいずれか１項に記載の発明の目的に加え、次の点を目的とする。
【００１１】
すなわち、請求項７に記載の発明は、観光スポットを撮影することにより、ユーザーが訪問した観光スポットを自動的に登録し、又、未訪問の観光スポットと区別して見ることができるようにしたものである。
（請求項８）
請求項８に記載の発明は、上記した請求項６又は請求項７に記載の発明の目的に加え、次の点を目的とする。
【００１２】
すなわち、請求項８に記載の発明は、ユーザーが観光スポットを訪問することで、サービスを受けることができるようにしたものである。
（請求項９）
請求項９に記載の発明は、地図画像表示制御システムに用いるプログラムに関し、次の点を目的とする。
【００１３】
すなわち、請求項９に記載の発明は、請求項１に記載の発明と同様に、ユーザーが訪れたい観光スポットをイメージ可能なアイコンを選択し、当該アイコンを地図上に移動操作（ドラッグ・アンド・ドロップ）することで、オリジナルな地図を作成して携行することができるようにしたものである。
【課題を解決するための手段】
【００１４】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１５】
第１に、例えば図１１に示すように、次の構成を備える携帯情報表示端末(20)を前提とする。
（１）記憶部(102)
記憶部(102)は、緯度経度情報を有する地図画像(50)を記憶したものである。
（２）表示部(21)
表示部(21)は、記憶部(102)に記憶された地図画像(50)を表示可能なものである。
【００１６】
（３）外部データ取込部(150)
外部データ取込部(150)は、外部データ(60)を取り込み可能なものである。
（４）位置情報取得部(140)
位置情報取得部(140)は、現在地の経度緯度から構成される現在位置情報を取得可能なものである。
【００１７】
（５）操作部(110)
操作部(110)は、各種操作が可能なものである。
第２に、外部データ(60)には、例えば図１２に示すように、次の構成を含む。
（６）アイコンデータ(61)
アイコンデータ(61)は、例えば図１３に示すように、観光スポットをイメージ可能な複数個のアイコン画像(70)を格納したものである。
【００１８】
（７）地図画像表示制御プログラム(62)
地図画像表示制御プログラム(62)は、アイコンデータ(61)に格納されたアイコン画像(70)を表示部(21)に表示させるためのものである。
第３に、アイコンデータ(61)には、例えば図１３に示すように、次の構成を含む。
（８）観光データ格納領域(80)
観光データ格納領域(80)は、例えば図１３に示すように、アイコンデータ(61)に付属するものである。
【００１９】
第３に、観光データ格納領域(80)には、例えば図１３に示すように、次の構成を含む。
（９）位置情報記憶領域(81)
位置情報記憶領域(81)は、アイコン画像(70)の観光スポットの緯度経度から構成される観光スポット位置情報が予め記憶されたものである。
（１０）観光スポット名記憶領域(82)
観光スポット名記憶領域(82)は、アイコン画像(70)の観光スポットの名称が予め記憶されたものである。
【００２０】
（１１）画像記憶領域(83)
画像記憶領域(83)は、画像データを記憶可能なものである。
（１２）文字記憶領域(84)
文字記憶領域(84)は、文字データを記憶可能なものである。
第４に、地図画像表示制御プログラム(62)は、例えば図１及び図２に示すように、アイコンデータ(61)に格納されたアイコン画像(70)の一つが、表示部(21)に表示された地図画像(50)上に移動操作された場合に、当該アイコン画像(70)に付属する位置情報記憶領域(81)に予め記憶された観光スポット位置情報を読み出し、当該観光スポット位置情報と一致する緯度経度情報を有するポイントに向かってアイコン画像(70)を地図画像(50)上において移動させた後、当該ポイントにアイコン画像(70)を貼り付けるようにした。
（請求項２）
請求項２に記載の発明は、上記した請求項１に記載の発明の特徴点に加え、次の点を特徴とする。
【００２１】
第１に、アイコン画像(70)には、例えば図１３に示すように、次の構成を含む。
（１）移動アイコン画像(72)
移動アイコン画像(72)は、例えば図２２に示すように、移動体を模したものである。
第２に、地図画像表示制御プログラム(62)は、例えば図２２に示すように、移動アイコン画像(72)が表示部(21)に表示された地図画像(50)上に移動操作された場合に、位置情報取得部(140)が取得した現在位置情報と一致する緯度経度情報を有するポイントに向かって移動アイコン画像(72)を地図画像(50)上において移動させた後、現在位置情報が更新される度に、当該現在位置情報と一致する緯度経度情報を有するポイントに向かって移動アイコン画像(72)を連続的に移動させるようにした。
（請求項３）
請求項３に記載の発明は、上記した請求項１又は請求項２に記載の発明の特徴点に加え、次の点を特徴とする。
【００２２】
第１に、アイコン画像(70)には、例えば図１３に示すように、次の構成を含む。
（１）フリーアイコン画像(73)
フリーアイコン画像(73)は、位置情報記憶領域(81)に観光スポット位置情報が記憶されていないものである。
第２に、地図画像表示制御プログラム(62)は、例えば図２３に示すように、フリーアイコン画像(73)が表示部(21)に表示された地図画像(50)上に移動操作された場合に、当該位置の地図画像(50)上の移動経度情報を位置情報記憶領域(81)に記憶するようにした。
（請求項４）
請求項４に記載の発明は、上記した請求項１〜３のいずれか１項に記載の発明の特徴点に加え、次の点を特徴とする。
【００２３】
第１に、外部データ取込部(150)は、ネットワークを通じてマップ情報提供サーバー(30)に接続するための通信部(160)から構成する。
第２に、マップ情報提供サーバー(30)は、例えば図４に示すように、アイコンデータ(61)を蓄積し、携帯情報表示端末(20)の通信部(160)を通じて、アイコンデータ(61)の要求があった場合に、当該携帯情報表示端末(20)にアイコンデータ(61)を送信する。
（請求項５）
請求項５に記載の発明は、上記した請求項１〜４のいずれか１項に記載の発明の特徴点に加え、次の点を特徴とする。
【００２４】
第１に、携帯情報表示端末(20)は、例えば図１２に示すように、次の構成を備える。
（１）撮影部(130)
撮影部(130)は、画像を撮影可能なものである。
第２に、地図画像表示制御プログラム(62)は、撮影部(130)により撮影された撮影画像を、当該撮影の前後の少なくとも一方にアクティブにされたアイコン画像(70)に付属する画像記憶領域(83)に記憶するようにした。
（請求項６）
請求項６に記載の発明は、上記した請求項１〜５のいずれか１項に記載の発明の特徴点に加え、次の点を特徴とする。
【００２５】
第１に、観光データ格納領域(80)には、例えば図１３に示すように、次の構成を含む。
（１）フラグ格納領域(86)
フラグ格納領域(86)は、観光スポットを訪れたことがあるか否かの別をフラグ情報として記憶可能なものである。
第２に、地図画像表示制御プログラム(62)は、位置情報取得部(140)が取得した現在位置情報から所定距離離れた位置に貼り付けられたアイコン画像(70)を検索し、検索の結果、アイコン画像(70)が存在した場合に、当該アイコン画像(70)に付属するフラグ格納領域(86)に訪問済みのフラグを立て、訪問済みのフラグが立っていることを条件に、例えば図１８に示すように、アイコン画像(70)の表示形態を変化させるようにした。
（請求項７）
請求項７に記載の発明は、上記した請求項１〜５のいずれか１項に記載の発明の特徴点に加え、次の点を特徴とする。
【００２６】
第１に、観光データ格納領域(80)には、例えば図１３に示すように、次の構成を含む。
（１）フラグ格納領域(86)
フラグ格納領域(86)は、観光スポットを訪れたことがあるか否かの別をフラグ情報として記憶する。
第２に、地図画像表示制御プログラム(62)は、撮影部(130)により撮影された撮影画像が画像記憶領域(83)に記憶されたことを条件に、当該画像記憶領域(83)を含むアイコン画像(70)に付属するフラグ格納領域(86)に訪問済みのフラグを立て、訪問済みのフラグが立っていることを条件に、アイコン画像(70)の表示形態を変化させるようにした。
（請求項８）
請求項８に記載の発明は、上記した請求項６又は請求項７に記載の発明の特徴点に加え、次の点を特徴とする。
【００２７】
第１に、外部データ(60)には、例えば図１２に示すように、次の構成を含む。
（１）アイコンラリー画像(90)
アイコンラリー画像(90)は、例えば図１９に示すように、地図画像(50)上に貼り付けられた複数のアイコン画像(70)のうち、訪問済みのフラグが立っているアイコン画像(70)を所定個数貼り付け可能なものである。
【００２８】
第２に、マップ情報提供サーバー(30)は、例えば図２１に示すように、携帯情報表示端末(20)の表示部(21)で表示可能なサービス券画像(91)を蓄積し、所定個数のアイコン画像(70)が貼り付られたアイコンラリー画像(90)が、携帯情報表示端末(20)の通信部(160)を通じて送信された場合に、当該携帯情報表示端末(20)にサービス券画像(91)を返信する。
（請求項９）
請求項９に記載の発明は、携帯情報表示端末(20)用のプログラムに関し、次の点を特徴とする。
【００２９】
第１に、例えば図１１に示すように、次の構成を備える携帯情報表示端末(20)を前提とする。
（１）記憶部(102)
記憶部(102)は、緯度経度情報を有する地図画像(50)を記憶したものである。
（２）表示部(21)
表示部(21)は、記憶部(102)に記憶された地図画像(50)を表示可能なものである。
【００３０】
（３）外部データ取込部(150)
外部データ取込部(150)は、外部データ(60)を取り込み可能なものである。
（４）位置情報取得部(140)
位置情報取得部(140)は、現在地の経度緯度から構成される現在位置情報を取得可能なものである。
【００３１】
（５）操作部(110)
操作部(110)は、各種操作が可能なものである。
（６）中央制御装置(100)
中央制御装置(100)は、例えば図１１に示すように、記憶部(102)、表示部(21)、外部データ取込部(150)、位置情報取得部(140)及び操作部(110)にそれぞれ接続され、表示部(21)に表示される画像を制御可能なものである。
【００３２】
第２に、外部データ(60)には、例えば図１２に示すように、次の構成を含む。
（７）アイコンデータ(61)
アイコンデータ(61)は、例えば図１３に示すように、観光スポットをイメージ可能な複数個のアイコン画像(70)を格納したものである。
（８）地図画像表示制御プログラム(62)
地図画像表示制御プログラム(62)は、アイコンデータ(61)に格納されたアイコン画像(70)を表示部(21)に表示させるためのものである。
【００３３】
第３に、アイコンデータ(61)には、例えば図１３に示すように、次の構成を含む。
（９）観光データ格納領域(80)
観光データ格納領域(80)は、アイコン画像(70)データに付属するものである。
第４に、観光データ格納領域(80)には、次の構成を含む。
（１０）位置情報記憶領域(81)
位置情報記憶領域(81)は、アイコンの観光スポットの緯度経度から構成される観光スポット位置情報が予め記憶されたものである。
【００３４】
（１１）観光スポット名記憶領域(82)
観光スポット名記憶領域(82)は、アイコンの観光スポットの名称が予め記憶されたものである。
（１２）画像記憶領域(83)
画像記憶領域(83)は、画像データを記憶可能なものである。
【００３５】
（１３）文字記憶領域(84)
文字記憶領域(84)は、文字データを記憶可能なものである。
第５に、地図画像表示制御プログラム(62)が、例えば図１及び図２に示すように、アイコンデータ(61)に格納されたアイコン画像(70)の一つが、表示部(21)に表示された地図画像(50)上に移動操作された場合に、当該アイコン画像(70)に付属する位置情報記憶領域(81)に予め記憶された観光スポット位置情報を読み出し、当該観光スポット位置情報と一致する緯度経度情報を有するポイントに向かってアイコン画像(70)を地図画像(50)上において移動させた後、当該ポイントにアイコン画像(70)を貼り付けるように中央制御装置(100)を機能させる。
【発明の効果】
【００３６】
本発明は、以上のように構成されているので、以下に記載されるような効果を奏する。
（請求項１）
請求項１に記載の発明によれば、次のような効果を奏する。
すなわち、請求項１に記載の発明によれば、ユーザーが訪れたい観光スポットをイメージ可能なアイコンを選択し、当該アイコンを地図上に移動操作（ドラッグ・アンド・ドロップ）することで、オリジナルな地図を作成して携行することができる。
【００３７】
これに加え、請求項１に記載の発明によれば、ユーザーが観光スポットの地図上の位置を気にすることなく、地図上の任意の位置にアイコンを移動操作（ドラッグ・アンド・ドロップ）するだけで、当該アイコンが緯度経度情報をもとに自動的に移動するようにしたので、当該移動を見て楽しむことができるばかりでなく、当該移動に注目することで、地図上の観光スポットのおおよその位置を把握でき、記憶や印象に残しやすいという利点がある。
（請求項２）
請求項２に記載の発明によれば、上記した請求項１に記載の発明の効果に加え、次のような効果を奏する。
【００３８】
すなわち、請求項２に記載の発明によれば、表示部に表示される地図画像上において、現在位置の移動に伴って連続的に移動アイコンを移動表示させることで、現在位置や観光の進行状態をユーザーにわかりやすく表示させることができる。
（請求項３）
請求項３に記載の発明によれば、上記した請求項１又は請求項２に記載の発明の効果に加え、次のような効果を奏する。
【００３９】
すなわち、請求項３に記載の発明によれば、フリーアイコンを表示部に表示される地図画像上の任意の位置に貼り付けることで、目印として利用したり、或いは観光スポットとは別な思い出のスポットを地図画像上に残しておくことができる。
（請求項４）
請求項４に記載の発明によれば、上記した請求項１〜３のいずれか１項に記載の発明の効果に加え、次のような効果を奏する。
【００４０】
すなわち、請求項４に記載の発明によれば、ネットワークを通じてマップ情報提供サーバーに接続することで、新規なアイコンを容易に入手することができる。
（請求項５）
請求項５に記載の発明によれば、上記した請求項１〜４のいずれか１項に記載の発明の効果に加え、次のような効果を奏する。
【００４１】
すなわち、請求項５に記載の発明によれば、観光スポット別に画像を分類して保存することができる。
（請求項６）
請求項６に記載の発明によれば、上記した請求項１〜５のいずれか１項に記載の発明の効果に加え、次のような効果を奏する。
【００４２】
すなわち、請求項６に記載の発明によれば、ユーザーが訪問した観光スポットを自動的に登録し、又、未訪問の観光スポットと区別して見ることができる。
（請求項７）
請求項７に記載の発明によれば、上記した請求項１〜５のいずれか１項に記載の発明の効果に加え、次のような効果を奏する。
【００４３】
すなわち、請求項７に記載の発明によれば、観光スポットを撮影することにより、ユーザーが訪問した観光スポットを自動的に登録し、又、未訪問の観光スポットと区別して見ることができる。
（請求項８）
請求項８に記載の発明によれば、上記した請求項６又は請求項７に記載の発明の効果に加え、次のような効果を奏する。
【００４４】
すなわち、請求項８に記載の発明によれば、ユーザーが観光スポットを訪問することで、サービスを受けることができる。
（請求項９）
請求項９に記載の発明によれば、地図画像表示制御システムに用いるプログラムに関し、次のような効果を奏する。
【００４５】
すなわち、請求項９に記載の発明によれば、請求項１に記載の発明と同様に、ユーザーが訪れたい観光スポットをイメージ可能なアイコンを選択し、当該アイコンを地図上に移動操作（ドラッグ・アンド・ドロップ）することで、オリジナルな地図を作成して携行することができる。
【図面の簡単な説明】
【００４６】
【図１】携帯情報表示端末の表示部の表示状態を説明するための一部を拡大した説明図である。
【図２】携帯情報表示端末の表示部の表示状態を説明するための説明図である。
【図３】地図画像表示制御システムの全体の概要を説明するための説明図である。
【図４】図３に続き、アイコンボックスの送信状態を説明するための説明図である。
【図５】図４に続き、アイコン画像の移動操作（ドラッグ・アンド・ドロップ）した状態を説明するための説明図である。
【図６】図５に続き、アイコン画像のクリックした状態を説明するための説明図である。
【図７】図６に続き、観光データ表示ウインドウを表示した状態を説明するための説明図である。
【図８】地図画像の表示方法の第１の一例を説明するための説明図である。
【図９】地図画像の表示方法の第２の一例を説明するための説明図である。
【図１０】地図画像の表示方法の第３の一例を説明するための説明図である。
【図１１】携帯情報表示端末の構造を説明するための概略構成図である。
【図１２】外部データの構造を説明するための概略構成図である。
【図１３】アイコンデータの構造を説明するための概略構成図である。
【図１４】アイコン画像の使用方法の第２の一例を説明するための説明図である。
【図１５】アイコン画像の使用方法の第３の一例を説明するための説明図である。
【図１６】図１５に続き、観光スポットの撮影状態を説明するための説明図である。
【図１７】図１６に続き、観光データ表示ウインドウを表示した状態を説明するための説明図である。
【図１８】アイコンラリー画像を取得を目的とし、マップ情報提供サーバへのアクセス状態を説明するための説明図である。
【図１９】図１８に続き、アイコンラリー画像の使用方法の一例を説明するための説明図である。
【図２０】図１９に続き、アイコンラリー画像の送信状態を説明するための説明図である。
【図２１】図２０に続き、サービス券画像の使用方法の一例を説明するための説明図である。
【図２２】移動アイコン画像の使用方法の一例を説明するための説明図である。
【図２３】フリーアイコン画像の使用方法の一例を説明するための説明図である。
【図２４】本発明の第２の実施の形態を示し、同図はアイコンピース及び携帯情報表示端末の概略斜視図である。
【図２５】本発明の第２の実施の形態を示し、アイコンピースの使用方法の一例を説明するための説明図である。
【図２６】図２５に続き、地図画像の移動状態を説明するための説明図である。
【発明を実施するための形態】
【００４７】
（地図画像表示制御システム10）
図３中、10は、地図画像表示制御システムを示し、当該システム10は、ネットワーク環境、例えばインターネットを中心に構築されている。
なお、ネットワークとして、インターネットを例示したが、これに限定されない。
地図画像表示制御システム10は、図３に示すように、次の端末から構成されている。
【００４８】
なお、次の（１）〜（３）については、後述する。
（１）携帯情報表示端末20
（２）マップ情報提供サーバ30
（３）アイコン提供ステーション40
なお、アイコンデータ提供所40は、ネットワークと切り離されて位置するが、ネットワーク環境内においても良い。また、地図画像表示制御システム10の端末は、上記した（１）〜（３）に限定されず、例えば「（３）アイコンデータ提供所40」を省いても良い。
（携帯情報表示端末20）
携帯情報表示端末20は、図３に示すように、インターネット等のネット環境に接続可能なものであり、例えばスマートフォン（スマホ）、携帯電話、パーソナルコンピュータ（ＰＣ）、ノートＰＣ、タブレットＰＣ等がある。
【００４９】
携帯情報表示端末20は、図１１に示すように、大別すると、次の装置から構成されている。
なお、次の（１）〜（９）については、後述する。
（１）表示部21
（２）中央制御装置100
（３）操作部110
（４）音声入力部120
（５）撮影部130
（６）位置情報取得部140
（７）外部データ取込部150
（８）通信部160
（９）音声発生部170
なお、携帯情報表示端末20の装置は、上記した（１）〜（９）に限定されない。
（マップ情報提供サーバ30）
マップ情報提供サーバ30は、図４に示すように、後述する外部データ60の一つであるアイコンデータ61を蓄積し、携帯情報表示端末20の後述する通信部160を通じて、アイコンデータ61の要求があった場合に、当該携帯情報表示端末20にアイコンデータ61を送信するものである。
【００５０】
マップ情報提供サーバ30には、アイコンデータ61のほか、図１２に示すように、外部データ60の一つである地図画像表示制御プログラム62、図１９及び図２１に示すように、後述するアイコンラリー画像90やサービス券画像91等のデータが蓄積されている。
（アイコン提供ステーション40）
アイコン提供ステーション40は、図３に示すように、マップ情報提供サーバ30に対してアイコンデータ61を要求する権利をユーザーに付与するためのものである。
【００５１】
アイコン提供ステーション40は、例えばユーザーが訪れた観光地、例えば京都駅前のコンビエンスストアーであり、当該コンビエンスストアー（コンビニ）でユーザーが買い物をすると、レシート41が発行される。
レシート41には、ＱＲコード（登録商標）等のバーコード42が印刷されている。
バーコード42には、マップ情報提供サーバ30のネット上のアドレス、例えばＵＲＬが記入されている。
【００５２】
バーコード42を携帯情報表示端末20に取り込むと、ネットを介してマップ情報提供サーバ30に接続され、ユーザーが訪れた観光スポットに関連したアイコンデータ61が携帯情報表示端末20に送信される。
観光スポットとしては、名所・旧跡のほか、自然物（植物、動物等）、建物、店舗（飲食店、土産物屋のほか、グルメ情報等も含む。）、宿泊施設（ホテル・旅館等）、その他の施設（博物館、美術館、動物園、水族館）、イベント（祭り、フェアー、コンサート等）等がある。
【００５３】
観光スポットとしては、自然物、建物、施設、店舗等がある。
なお、アイコン提供ステーション40として、コンビエンスストアーを例示したが、これに限定されず、観光センターや、ネット上のストアー等でも良い。
また、バーコード42の表示媒体として、レシート41を例示したが、これに限定されず、ポスターや、ネット上の広告等でも良い。
【００５４】
さらに、バーコード42として、ＱＲコード（登録商標）を例示したが、これに限定されない。また、バーコード42にも限定されず、マップ情報提供サーバ30の「ＵＲＬ」を、ポスターやネット上に表示させたり、リンクさせても良い。
（地図画像50の構成）
地図画像50は、緯度経度情報を有するものである。
【００５５】
地図画像50は、図８〜１０に示すように、大別すると、次の画像を含む。
なお、次の（１）及び（２）については、後述する。
（１）ロードマップ画像51
（２）イラストマップ画像52
なお、地図画像50は、上記した（１）及び（２）の画像に限定されない。
（ロードマップ画像51）
ロードマップ画像51は、世界測地系1984（WGS 84）にもとづいて作成され、緯度経度情報が関連付けられている。
【００５６】
なお、ロードマップ画像51を、世界測地系1984（WGS 84）にもとづいて作成したが、これに限定されず、日本の測地系等を用いても良い。
（イラストマップ画像52）
イラストマップ画像52は、ロードマップ画像51が主として地形や道路、路線を中心に構成されるのに対し、主として観光スポットをイラストを用いて表示したものであり、ロードマップ画像41と同一の測地系、世界測地系1984（WGS 84）にもとづいて作成されている。
【００５７】
なお、イラストマップ画像52を、ロードマップ画像51と同様に、世界測地系1984（WGS 84）にもとづいて作成したが、これに限定されず、日本の測地系等を用いても良い。
（地図画像50の表示方法）
地図画像50の表示方法として、図８〜１０に示すように、大別すると、次の方法がある。
【００５８】
（１）ロードマップ画像51とイラストマップ画像52との合成表示
携帯情報表示端末20の表示部21に、図８に示すように、ロードマップ画像51を下層レイヤーに表示し、下層レイヤーの上に上層レイヤーを重ね合わせて表示し、上層レイヤーにはイラストマップ画像52を表示する。
上層レイヤーを重ね合わせる際には、ロードマップ画像51とイラストマップ画像52との両者の緯度経度情報が一致するようにする。
【００５９】
上層レイヤーは、透過或いは一部透過させ、ロードマップ画像51とイラストマップ画像52との合成画像を、表示部21に表示させる。
（２）ロードマップ画像51の単独表示
表示部21に、図９に示すように、ロードマップ画像51を単独で表示させる。
（３）イラストマップ画像52の単独表示
表示部21に、図１０に示すように、イラストマップ画像52を単独で表示させる。
（外部データ60）
外部データ60は、携帯情報表示端末20の後述する外部データ取込部150に取り込み可能なものである。
【００６０】
外部データ60には、図１２に示すように、次のデータやプログラムを含む。
なお、次の（１）〜（３）については、後述する。
（１）アイコンデータ61
（２）地図画像表示制御プログラム62
（３）アイコンラリー画像90及びサービス券画像91に関するデータ
なお、外部データ60のデータやプログラムは、上記した（１）〜（３）に限定されない。
（アイコンデータ61）
アイコンデータ61は、図１３に示すように、複数個のアイコン画像70を格納したものである。
【００６１】
アイコンデータ61には、図１３に示すように、次の画像及び領域を含む。
なお、次の（１）及び（２）については、後述する。
（１）アイコン画像70
（２）観光データ格納領域80
なお、アイコンデータ61の画像及び領域は、上記した（１）及び（２）に限定されない。
（アイコン画像70）
アイコン画像70は、観光スポットをイメージ可能なものである。
【００６２】
アイコン画像70には、図１３に示すように、次の画像を含む。
なお、次の（１）〜（３）については、後述する。
（１）観光用アイコン画像71
（２）移動アイコン画像72
（３）フリーアイコン画像73
なお、アイコン画像70は、次の（１）〜（３）に限定されない。
【００６３】
また、アイコン画像70の表示に関連して、図４、図５及び図７に示すように、次の画像を含む。
なお、次の（４）及び（５）については、後述する。
（４）アイコンボックス74（図４及び図５参照）
（５）観光データ表示ウインドウ75（図７参照）
なお、アイコン画像70の表示に関連する画像は、上記した（４）及び（５）に限定されない。
（観光用アイコン画像71）
観光用アイコン画像71は、観光スポットをイメージ可能なものであり、本実施の形態の代表的なアイコン画像70である。
【００６４】
観光用アイコン画像71は、図１及び図２に示すように、携帯情報表示端末20の表示部21に表示された地図画像50上に移動操作（ドラッグ・アンド・ドロップ）すると、後述する位置情報記憶領域81に予め記憶された観光スポット位置情報（緯度経度）まで移動して張り付く。
このため、観光用アイコン画像71の地図画像50上の位置を見ることで、観光地の位置を把握することができる。また、ユーザーが移動操作（ドラッグ・アンド・ドロップ）した位置から、観光地まで移動するので、観光地の地図画像50上の位置をユーザーに鮮明に記憶させることができる。さらに、ユーザーが移動操作（ドラッグ・アンド・ドロップ）した位置が観光地から遠い場合には、観光用アイコン画像71の移動量が大きく、逆に観光地に近接している場合には、移動量が小さくなり、ゲーム的な要素や、アナログ的な動きや、いわゆる「ギミック」な動きを提供できる。
（移動アイコン画像72）
移動アイコン画像72は、図２２に示すように、移動体を模したものである。
【００６５】
すなわち、移動アイコン画像72は、携帯情報表示端末20の表示部21に表示された地図画像50上に移動操作（ドラッグ・アンド・ドロップ）すると、後述する位置情報取得部140が取得した現在位置情報（緯度経度）まで移動して張り付く。このため、移動アイコン画像72の地図画像50上の位置を見ることで、現在位置を把握することができる。
その後、携帯情報表示端末20を持ってユーザーが移動すると、移動アイコン画像72も移動し、現在位置を表示する。
【００６６】
なお、移動アイコン画像72の移動の軌跡を、地図画像50上に残しても良いし、或いは残さなくとも良い。
（フリーアイコン画像73）
フリーアイコン画像73は、観光データ格納領域80の後述する位置情報記憶領域81に観光スポット位置情報が記憶されていないものである。
【００６７】
すなわち、フリーアイコン画像73は、図２３に示すように、携帯情報表示端末20の表示部21に表示された地図画像50上の自由な位置にドラッグし、当該位置に貼り付けることができる。
例えば、ユーザーが、昼食や思い出に残った場所等に、いわゆる「しおり」的に地図画像50上において貼り付けておくことができる。また、貼り付けたフリーアイコン画像73に付属する観光データ格納領域80の後述する画像記憶領域83や文字記憶領域84に、写真や文章を残しておくことができる。
（アイコンボックス74）
アイコンボックス74は、図５に示すように、観光用アイコン画像71、移動アイコン画像72、フリーアイコン画像73を格納したウィンドウであり、携帯情報表示端末20の表示部21に表示される。
（観光データ表示ウインドウ75）
観光データ表示ウインドウ75は、図７に示すように、後述する観光データ格納領域80に記憶された各種データを、携帯情報表示端末20の表示部21に表示させるためのものである。
（観光データ格納領域80）
観光データ格納領域80は、図１３に示すように、アイコンデータ61に付属するものである。
【００６８】
観光データ格納領域80には、図１３に示すように、次の領域を含む。
なお、観光データ格納領域80の領域は、次の（１）〜（６）に限定されない。
（１）位置情報記憶領域81
位置情報記憶領域81は、アイコン画像70の観光スポットの緯度経度から構成される観光スポット位置情報が予め記憶されたものである。
【００６９】
アイコン画像70のうち、観光用アイコン画像71には、緯度経度が予め記憶されている。
これに対し、アイコン画像70のうち、移動アイコン画像72及びフリーアイコン画像73については、緯度経度が予め記憶されていない。移動アイコン画像72の位置情報記憶領域81には、中央制御装置100の後述するＧＰＳ装置141が取得した現在位置の緯度経度が記憶され、取得したデータが更新される度に、記憶値も更新される。フリーアイコン画像73は、ユーザーにより表示部21に表示された地図画像50上に移動操作された場合に、当該地図画像50上の緯度経度が記憶される。
【００７０】
（２）観光スポット名記憶領域82
観光スポット名記憶領域82は、アイコン画像70の観光スポットの名称が予め記憶されたものである。
（３）画像記憶領域83
画像記憶領域83は、静止画や動画等の画像データを記憶可能なものである。
【００７１】
画像記憶領域83には、表示状態を変化させた観光用アイコン画像も記憶されている。
すなわち、後述するフラグ格納領域86が観光スポットの「未訪問」の状態になっている間は、図２に示すように、観光用アイコン画像71として「白色」の「丸」の状態で表示する。その後、ユーザーが観光スポットを訪問し、フラグが立って「既訪問」となると、表示状態を変化させた観光用アイコン画像として、図１８〜２１に示すように、「白色」から「黒色」に色を変化させて表示させる。同様に、「白色の「三角形」や「四角形」も、フラグ格納領域86のフラグが立って「既訪問」となった後、「白色」から「黒色」に色を変化させて表示させている。
【００７２】
（４）文字記憶領域84
文字記憶領域84は、文字データを記憶可能なものである。
（５）音声記憶領域85
音声記憶領域85は、音声データを記憶可能なものである。
（６）フラグ格納領域86
フラグ格納領域86は、観光スポットを訪れたことがあるか否かの別をフラグ情報として記憶可能なものである。
（地図画像表示制御プログラム62）
地図画像表示制御プログラム62は、アイコンデータ61に格納されたアイコン画像70を表示部21に表示させるためのものである。
【００７３】
地図画像表示制御プログラム62は、中央制御装置100（図１１参照）の後述する外部データ取込部150や通信部160を介して、携帯情報表示端末20内に取り込まれ、同じく後述する記憶部102に記憶される。
記憶部102に記憶された地図画像表示制御プログラム62は、中央制御装置100（図１１参照）の後述する制御部101に読み込まれ、制御部101を、次のように機能させる。
【００７４】
なお、制御部101の機能は、次の（１）〜（６）に限定されない。
（１）第１の機能
制御部101（図１１参照）は、図１及び図２に示すように、アイコンデータ61に格納されたアイコン画像70の一つ、例えば観光用アイコン画像71が、表示部21に表示された地図画像50上に移動操作された場合に、当該アイコン画像70（観光用アイコン画像71）に付属する位置情報記憶領域81に予め記憶された観光スポット位置情報（緯度経度）を読み出し、当該観光スポット位置情報と一致する前記緯度経度情報を有するポイントに向かってアイコン画像70（観光用アイコン画像71）を移動させた後、当該ポイントにアイコン画像70（観光用アイコン画像71）を貼り付けるように機能する。
【００７５】
（２）第２の機能
制御部101（図１１参照）は、図２２に示すように、移動アイコン画像72が表示部21に表示された地図画像50上に移動操作された場合に、位置情報取得部140が取得した現在位置情報（緯度経度）と一致する緯度経度情報を有するポイントに向かって移動アイコン画像72を地図画像50上において移動させた後、現在位置情報（緯度経度）が更新される度に、当該現在位置情報（緯度経度）と一致する緯度経度情報を有するポイントに向かって移動アイコン画像72を連続的に移動させるように機能する。
【００７６】
（３）第３の機能
制御部101（図１１参照）は、図２３に示すように、フリーアイコン画像73が表示部21に表示された地図画像50上に移動操作された場合に、当該位置の地図画像50上の移動経度情報を位置情報記憶領域81に記憶するように機能する。
（４）第４の機能
制御部101（図１１参照）は、後述する撮影部130により撮影された撮影画像を、当該撮影の前後の少なくとも一方にアクティブにされたアイコン画像70に付属する画像記憶領域83に記憶するように機能する。
【００７７】
（５）第５の機能
制御部101（図１１参照）は、後述する位置情報取得部140が取得した現在位置情報（緯度経度）から所定距離離れた位置に貼り付けられたアイコン画像70を検索し、検索の結果、アイコン画像70が存在した場合に、当該アイコン画像70に付属するフラグ格納領域86に訪問済みのフラグを立て、訪問済みのフラグが立っていることを条件に、アイコン画像70の表示形態を変化させるように機能する。
【００７８】
フラグ格納領域86に訪問済みのフラグが既に立っている場合には、フラグの状態を維持し、又、アイコン画像70の表示形態も維持する。
また、検索の結果、アイコン画像70が存在しない場合には、何もしない。
（６）第６の機能
制御部101（図１１参照）は、後述する撮影部130により撮影された撮影画像が画像記憶領域83に記憶されたことを条件に、当該画像記憶領域を含むアイコン画像70に付属するフラグ格納領域86に訪問済みのフラグを立て、訪問済みのフラグが立っていることを条件に、アイコン画像70の表示形態を変化させるように機能する。
【００７９】
フラグ格納領域86に訪問済みのフラグが既に立っている場合には、フラグの状態を維持し、又、アイコン画像70の表示形態も維持する。
（アイコンラリー画像90）
アイコンラリー画像90は、図１２に示すように、外部データ60に含まれ、図１９に示すように、地図画像50上に貼り付けられた複数のアイコン画像70のうち、訪問済みのフラグが立っているアイコン画像70を所定個数、例えば３個貼り付け可能なものである。
【００８０】
なお、所定個数として、３個を例示したが、これに限定されず、複数あれば足り、２個或いは４個以上でも良い。
サービス券画像91は、図１２に示すように、外部データ60に含まれ、図２１に示すように、携帯情報表示端末20の表示部21で表示可能なものである。
サービス券画像91は、図示しないが、例えばコンビエンスストアー等のアイコン提供ステーション40に携帯情報表示端末20をユーザーが持参し、その表示部21に表示させて店員等に見せることで、ユーザーに有利なサービスの提供を受けることができる。
（中央制御装置100）
中央制御装置100は、図１１に示すように、次の各部にそれぞれ接続され、表示部21に表示される画像を制御可能なものである。
【００８１】
なお、次の（１）〜（８）については、後述する。
（１）表示部21
（２）操作部110
（３）音声入力部120
（４）撮影部130
（５）位置情報取得部140
（６）外部データ取込部150
（７）通信部160
（８）音声発生部170
なお、中央制御装置100に接続される各部は、上記した（１）〜（８）に限定されない。
【００８２】
また、中央制御装置100には、図１１に示すように、次の各部を備える。
なお、次の（９）及び（１０）については、後述する。
（９）制御部101
（１０）記憶部102
なお、中央制御装置100を構成する各部は、上記した（８）及び（９）に限定されない。
（制御部101）
制御部101は、図示しないが、ＣＰＵを中心に構成され、後述する記憶部102に記憶される、アイコンデータ61や地図画像表示制御プログラム62等のプログラム及びデータを読み込むことで、前述した第１〜第６の機能を果たしたり、或いは各種の動作を実行する。
（記憶部102）
記憶部102は、緯度経度情報を有する地図画像50を記憶したものである。
【００８３】
記憶部102は、ＲＯＭやＲＡＭ等の内部メモリーのほか、ＨＤＤやメモリーカード等の外部メモリーを含むものである。
なお、地図画像50は、予め記憶しておいても良いし、後述する外部データ取込部150や通信部160から取り込んだものを記憶部102に記憶するようにしても良い。
（表示部21）
表示部21は、記憶部102に記憶された地図画像50を表示可能なものである。
【００８４】
表示部21は、例えば液晶ディスプレイから構成されている。
なお、表示部21として、液晶ディスプレイを例示したが、これに限定されない。
（操作部110）
操作部110は、各種操作が可能なものである。
操作部110は、電源スイッチ等の機械式のスイッチと、表示部21の表面に設けられたタッチパネル（或いはタッチスクリーンやタッチセンサー）とから構成されている。
【００８５】
タッチパネルとしては、例えば静電容量式のものが使用されている。
なお、タッチパネルとしては、例えば静電容量式を例示したが、これに限定されず、いわゆる感圧式のものでも良い。
（音声入力部120）
音声入力部120は、音声を入力するものであり、例えばマイクから構成されている。
【００８６】
なお、音声入力部120として、マイクを例示したが、これに限定されず、単にマイク端子だけを設けておいても良い。また、音声入力部120は、音声入力式のプログラムを使用した場合には、操作部110としても機能する。
（撮影部130）
撮影部130は、動画や静止画等の画像を撮影可能なものであり、例えばデジタルカメラから構成されている。
【００８７】
なお、撮影部130として、デジタルカメラを例示したが、これに限定されず、デジタル式ムービーカメラから構成しても良い。また、撮影部130は、バーコード等を撮影した場合には、操作部110としても機能する。
（位置情報取得部140）
位置情報取得部140は、現在地の経度緯度から構成される現在位置情報を取得可能なものである。
【００８８】
位置情報取得部140には、図１１に示すように、次のパーツを含む。
なお、位置情報取得部140のパーツは、次の（１）及び（２）に限定されない。
（１）ＧＰＳ装置141
ＧＰＳ装置141は、携帯情報表示端末20の現在位置の緯度経度情報や方位情報を取得するためのものである。
【００８９】
ＧＰＳ装置141は、ＧＰＳアンテナとＧＰＳ受信機から構成し、受信した信号を制御部101により演算し、現在位置を取得する。
（２）加速度センサー142
加速度センサ142は、携帯情報表示端末20の縦横の画面の向きを検出するためのものであり、当該検出情報にもとづいて、図示しないが、表示部21に表示する画面上の縦横を自動的に切り替えている。
（外部データ取込部150）
外部データ取込部150は、外部データ60を取り込み可能なものである。
【００９０】
外部データ取込部150は、例えばメモリカードを挿入可能なカードスロットや、ＵＳＢメモリー等を接続可能なＵＳＢ端子等から構成している。
なお、外部データ取込部150として、カードスロットやＵＳＢ端子を例示したが、これらに限定されない。また、外部データ取込部150を、ネットワークを通じてマップ情報提供サーバー30に接続するための、後述する通信部160から構成しても良い。
（通信部160）
通信部160は、ネットワークを通じてマップ情報提供サーバー30に接続するためのものである。
（音声発生部170）
音声発生部170は、音声を発生させるものであり、例えばスピーカから構成されている。
【００９１】
例えば、アイコン画像70のドラッグ、移動、操作等に関連し、各種の効果音を発生させている。
なお、効果音は、電子的な音声、擬似的な音のほか、音楽等を含む。
また、音声発生部170として、スピーカを例示したが、これに限定されず、イヤフォン端子や音声出力端子だけを設けておいても良い。
（使用方法）
つぎに、上記した構成を有する地図画像表示制御システム10の使用方法について、図１〜７及び図１４〜２３を用いて説明する。
【００９２】
地図画像表示制御システム10の使用方法は、次の通りである。
なお、次の（１）〜（４）については、後述する。
（１）観光用アイコン画像71の使用方法（図１〜７及び図１４〜１７）
（２）移動アイコン画像72の使用方法（図２２）
（３）フリーアイコン画像73の使用方法（図２３）
（４）アイコンラリー画像90及びサービス券画像91の使用方法（図１８〜２１）
なお、地図画像表示制御システム10の使用方法は、上記した（１）〜（４）に限定されない。
（観光用アイコン画像71の使用方法）
観光用アイコン画像71の使用方法について、図１〜７及び図１４〜１７を用いて説明する。
【００９３】
観光用アイコン画像71として、次のものを例示する。
なお、次の（１）〜（３）については、後述する。
（１）京都の「銀閣寺」を模した観光用アイコン画像71
（２）「一乗寺下り松」を模した観光用アイコン画像71c
（３）「五山送り火舟形」を模した観光用アイコン画像71d
なお、観光用アイコン画像71の使用方法は、上記した（１）〜（３）に限定されない。
（「銀閣寺」を模した観光用アイコン画像71）
「銀閣寺」を模した観光用アイコン画像71について、図１〜７を用いて説明する。
【００９４】
観光用アイコン画像71に付属する観光データ格納領域80のうち、位置情報記憶領域81には「銀閣寺」の緯度経度が記憶されている。観光スポット名記憶領域82には、「銀閣寺」の名称が記憶されている。画像記憶領域83には、「銀閣寺」の静止画が記憶されている。文字記憶領域84には、「銀閣寺」の観光説明が記憶されている。
（図３の説明）
まず、ユーザーは、図３に示すように、京都駅を下車後、最寄りのコンビエンスストアー等のアイコン提供ステーション40に行き、買い物し、レシート41を入手する。
【００９５】
その後、レシート41のＱＲコード（登録商標）等のバーコード42を、携帯情報表示端末20の撮影部130で撮影する。
（図４の説明）
バーコード42を撮影して取り込むと、図４に示すように、通信部160は、ネットワークを通じてマップ情報提供サーバー30に接続される。
【００９６】
このため、マップ情報提供サーバー30に蓄積されたアイコンデータ61を、携帯情報表示端末20に取り込んで、表示させることができる。
（図５の説明）
アイコンデータ61には、図５に示すように、アイコンボックス74内に複数の観光用アイコン画像71が含まれ、その中から一つの観光用アイコン画像71をユーザーが選び、表示部21の表面に設けられたタッチパネルを利用して、同じく表示部21に表示された地図画像50上に移動操作（ドラッグ・アンド・ドロップ）する。
【００９７】
なお、図５においては、アイコンボックス74が表示部21の外側にはみ出しているイメージで図示したが、実際にはアイコンボックス74は表示部21内に表示されている。すなわち、アイコンボックス74は、表示部21に表示された地図画像50上に重ね合わせて表示され、いわゆるウインドウ状に表示されている。
（図１の説明）
観光用アイコン画像71を地図画像50上に移動操作（ドラッグ・アンド・ドロップ）すると、図１に示すように、観光用アイコン画像71に付属する観光データ格納領域80の位置情報記憶領域81に記憶された緯度経度が読み出される。
【００９８】
読み出した緯度経度にもとづき、地図画像50上において、移動操作（ドラッグ・アンド・ドロップ）した位置71aから移動位置71bに、観光用アイコン画像71を移動する。
なお、このとき、移動時の軌跡を表示しても良いし、或いは単に観光用アイコン画像71を移動しても良い。
移動後、観光用アイコン画像71は、当該位置に地図画像50上において固定される。
（図６の説明）
観光用アイコン画像71が地図画像50上に固定されると、スタート地点である京都駅の緯度経度と、観光用アイコン画像71の緯度経度とにもとづいて、図６に示すように、二点間の経路53を地図画像50上に描写ないしは表示する。
【００９９】
なお、経路53については、図６に例示したほか、図７、図１８〜２１にも例示している。
経路53は、ユーザーに複数提示し、ユーザーに選択させるようにする。
経路53に関する情報は、マップ情報提供サーバー30において作成し、携帯情報表示端末20に送信するようにしている。
【０１００】
マップ情報提供サーバー30は、外部データ60の蓄積・提供に加え、地図画像50の蓄積・提供、並びに経路53に関する情報の作成・提供を行っている。
マップ情報提供サーバー30は、携帯情報表示端末20からの二点以上の緯度経度に関する情報が送信された場合に、当該情報をもとにデータベース（図示せず）を検索し、二点間の経路53に関する情報を作成する。作成後、マップ情報提供サーバー30は、二点間の経路53に関する情報を要求のあった携帯情報表示端末20に返信する。携帯情報表示端末20は、マップ情報提供サーバー30から送信された経路53に関する情報にもとづいて、表示部21に表示された地図画像50上に、経路53を描写ないしは表示する。
【０１０１】
なお、マップ情報提供サーバー30に、外部データ60の蓄積・提供機能に加え、地図画像50の蓄積・提供機能、並びに経路53に関する情報の作成・提供機能を持たせたが、これらの機能を、図示しないが、複数のサーバーに分散させて持たせても良い。
一方、地図画像50上に固定された観光用アイコン画像71を、図６に示すように、タッチパネルを利用してクリックする。
（図７の説明）
観光用アイコン画像71をクリックすると、図７に示すように、地図画像50上に観光データ表示ウインドウ75が表示される。
【０１０２】
観光データ表示ウインドウ75には、「銀閣寺」の名称、写真、観光説明が表示される。
なお、観光用アイコン画像71をクリックした際に、マップ情報提供サーバー30に更新データがあるか否かを確認にいき、更新データが存在する場合には、ダウンロードして、更新した最新のデータを観光データ表示ウインドウ75に表示させるようにすると良い。
（「一乗寺下り松」を模した観光用アイコン画像71c）
「一乗寺下り松」を模した観光用アイコン画像71cについて、図１４を用いて説明する。
【０１０３】
観光用アイコン画像71cに付属する観光データ格納領域80のうち、位置情報記憶領域81には「一乗寺下り松」の緯度経度が記憶されている。観光スポット名記憶領域82には、「一乗寺下り松」の名称が記憶されている。画像記憶領域83及び文字記憶領域84には、データが記憶されていない。
（図１４の説明）
観光用アイコン画像71cを地図画像50上に移動操作（ドラッグ・アンド・ドロップ）すると、図１４の上段に示すように、観光用アイコン画像71cに付属する観光データ格納領域80の位置情報記憶領域81に記憶された緯度経度が読み出される。
【０１０４】
読み出した緯度経度にもとづき、地図画像50上において、観光用アイコン画像71cが移動し、当該位置に固定される。
一方、地図画像50上に固定された観光用アイコン画像71cを、図１４の中段に示すように、タッチパネルを利用してクリックする。
観光用アイコン画像71cをクリックすると、図１４の下段に示すように、地図画像50上に観光データ表示ウインドウ75が表示される。
【０１０５】
観光データ表示ウインドウ75には、「一乗寺下り松」の名称のみが表示される。
ユーザーは、図示しないが、「一乗寺下り松」を訪れ、携帯情報表示端末20の撮影部130を通じて写真を撮影することで、当該写真を「一乗寺下り松」を模した観光用アイコン画像71cに付属する画像記憶領域83に記憶させることができる。また、携帯情報表示端末20の操作部110を通じて感想文等を入力することで、当該感想文等を文字記憶領域84に記憶させることができる。
（「五山送り火舟形」を模した観光用アイコン画像71d）
「五山送り火舟形」を模した観光用アイコン画像71dについて、図１５〜１７を用いて説明する。
【０１０６】
観光用アイコン画像71cに付属する観光データ格納領域80のうち、位置情報記憶領域81には「五山送り火舟形」の緯度経度が記憶されている。観光スポット名記憶領域82には、「五山送り火舟形」の名称が記憶されている。画像記憶領域83には、データが記憶されていない。文字記憶領域84には、「五山送り火舟形」の開催日、撮影ポイント、撮影のアドバイス等が記憶されている。
（図１５の説明）
観光用アイコン画像71dを地図画像50上に移動操作（ドラッグ・アンド・ドロップ）すると、図１５の上段に示すように、観光用アイコン画像71dに付属する観光データ格納領域80の位置情報記憶領域81に記憶された緯度経度が読み出される。
【０１０７】
読み出した緯度経度にもとづき、地図画像50上において、観光用アイコン画像71dが移動し、当該位置に固定される。
一方、地図画像50上に固定された観光用アイコン画像71cを、図１５の中段に示すように、タッチパネルを利用してクリックする。
観光用アイコン画像71cをクリックすると、図１５の下段に示すように、地図画像50上に観光データ表示ウインドウ75が表示される。
【０１０８】
観光データ表示ウインドウ75には、「五山送り火舟形」の名称と、撮影ポイント等の情報が表示される。
（図１６の説明）
一方、ユーザーは、撮影ポイント等の情報をもとに、「五山送り火舟形」が見える撮影スポットに移動し、図１６に示すように、携帯情報表示端末20の撮影部130を通じて撮影する。
【０１０９】
撮影した写真は、「五山送り火舟形」を模した観光用アイコン画像71dに付属する画像記憶領域83に記憶させることができる。
（移動アイコン画像72の使用方法）
移動アイコン画像72の使用方法について、図２２を用いて説明する。
移動アイコン画像72に付属する観光データ格納領域80の位置情報記憶領域81には、緯度経度が予め記憶されていない。位置情報記憶領域81には、携帯情報表示端末20のＧＰＳ装置141が取得した現在位置の緯度経度が記憶され、取得したデータが更新される度に、記憶値も更新される。
（図２２の説明）
移動アイコン画像72として、図２２に示すように、ユーザーが徒歩で移動している状態を模した形状としている。
【０１１０】
なお、移動アイコン画像72として、ユーザーが徒歩で移動している状態を模した形状を例示したが、これに限定されず、例えばユーザーが自転車で移動する場合には、自転車を模した形状としたり、或いは自動者で移動する場合には、自動者を模した形状としても良い。
移動アイコン画像72を地図画像50上に移動操作（ドラッグ・アンド・ドロップ）すると、ＧＰＳ装置141を通じて現在位置の移動経度を取得する。
【０１１１】
取得した緯度経度にもとづく、地図画像50上において、移動操作（ドラッグ・アンド・ドロップ）した位置72aから緯度位置72bに、移動アイコン画像72を移動する。
なお、現在位置の緯度経度が取得できなかった場合には、直近の緯度経度や、特定の位置（京都であれば京都駅）の緯度経度等を用いる。
移動後、移動アイコン画像72は、当該位置に地図画像50上において固定される。
【０１１２】
その後も、ＧＰＳ装置141を通じて現在位置の緯度経度の取得を継続する。
取得した現在位置の緯度経度が変化した場合には、変化後の位置72cに移動アイコン画像72を連続して移動させる。
ユーザーは、移動アイコン画像72の移動を通じて現在位置を知ることができるばかりでなく、観光の進行状況を一目で把握することができる。
（フリーアイコン画像73の使用方法）
フリーアイコン画像73の使用方法について、図２３を用いて説明する。
【０１１３】
フリーアイコン画像73に付属する観光データ格納領域80の位置情報記憶領域81には、緯度経度が予め記憶されていない。位置情報記憶領域81には、ユーザーにより表示部21に表示された地図画像50上に移動操作された場合に、当該地図画像50上の緯度経度が記憶される。
（図２３の説明）
フリーアイコン画像73として、図２３に示すように、昼食等の食事をイメージし、「おにぎり」を模した形状としている。
【０１１４】
なお、フリーアイコン画像73として、「おにぎり」を模した形状を例示したが、これに限定されず、例えばおやつ等の間食をイメージし、「お団子」や「ケーキ」や「スイーツ」等を模した形状としたり、或いは「お土産物屋」や「動植物」等を模した形状としても良い。
フリーアイコン画像73を地図画像50上に移動操作（ドラッグ・アンド・ドロップ）すると、当該位置に地図画像50上において固定される。
【０１１５】
なお、移動操作（ドラッグ・アンド・ドロップ）後、地図画像50上において、フリーアイコン画像73を移動しても良く、移動後の位置に地図画像50上において固定される。
固定されると、位置情報記憶領域81に地図画像50上の緯度経度が記憶される。
ユーザーは、昼食や思い出に残った場所等に、いわゆる「しおり」的に地図画像50上において貼り付けておくことができる。また、貼り付けたフリーアイコン画像73に付属する観光データ格納領域80の後述する画像記憶領域83や文字記憶領域84に、写真や文字を残しておくことができる。
（アイコンラリー画像90及びサービス券画像91の使用方法）
アイコンラリー画像90及びサービス券画像91の使用方法について、図１８〜２１を用いて説明する。
【０１１６】
ユーザーが、図示しないが、観光地を訪れると、観光用アイコン画像71に付属する観光データ格納領域80のフラグ格納領域86に訪問済みのフラグを立て、訪問済みのフラグが立ち、又、アイコン画像70の表示形態が変化する。
（図１８の説明）
携帯情報表示端末20の通信部160を通じて、図１８に示すように、マップ情報提供サーバ30にアクセスし、アイコンラリー画像90を要求する。
（図１９の説明）
アイコンラリー画像90を要求すると、図１９に示すように、マップ情報提供サーバ30に蓄積されたアイコンラリー画像90が、携帯情報表示端末20に送信される。
【０１１７】
送信されたアイコンラリー画像90を、表示部21に表示された地図画像50上に、いわゆるウインドウ状に重ねて表示する。
つぎに、訪問済みのフラグが立っている観光用アイコン画像71を、アイコンラリー画像90上に移動操作（ドラッグ・アンド・ドロップ）して貼り付ける。
（図２０の説明）
アイコンラリー画像90上に、図２０に示すように、必要な個数の観光用アイコン画像71を貼り付けた後、当該アイコンラリー画像90をマップ情報提供サーバ30に返信する。
（図２１の説明）
マップ情報提供サーバ30は、図２１に示すように、蓄積されたサービス券画像91を携帯情報表示端末20に送信する。
【０１１８】
携帯情報表示端末20側では、送信されたサービス券画像91を、表示部21に表示できる。
ユーザーは、図示しないが、例えばコンビエンスストアー等に携帯情報表示端末20を持参し、その表示部21に表示させたサービス券画像91を店員等に見せることで、ユーザーに有利なサービスの提供を受けることができる。
（第２の実施の形態）
つぎに、図２４〜２６を用いて、本発明の第２の実施の形態について説明する。
【０１１９】
本実施の形態の特徴は、先に図１〜２３を用いて説明した第１の実施の形態の２Ｄのアイコン画像70に替えて、図２４に示すように、立体的な３Ｄ、例えばフィギュア型のアイコンピース200を用いた点に特徴がある。
なお、アイコンピース200として、フィギュア型のものを例示したが、これに限定されず、比較的に平面的なメダル型や駒型でも良い。
【０１２０】
アイコンピース200は、第１の実施の形態のアイコン画像70のうち、観光用アイコン画像71と同様に、観光スポットをイメージ可能なものであり、いわゆるゲームの駒のように、立体的に形成され、携帯情報表示端末20の表示部21上に載置できるように形成されている。
アイコンピース200は、表示部21に静電容量式のタッチパネルが使用されていることを前提に、導電性の材質で形成されている。例えば熱可塑性の樹脂に、導電性の材質を混入させて、アイコンピース200を一体的に成形する。。
【０１２１】
また、アイコンピース200の表示部21との接触面には、導電性を有するスポンジ等の弾性体が使用され、表示部21の傷の発生を防止している。
ユーザーが、静電容量式のタッチパネル上に、指で摘んでアイコンピース200を載置したり、移動させることで、静電容量を変化し、アイコンピース200の表示部21上の座標位置や移動量、移動速度を検出することが可能となる。これに対し、ユーザーが、アイコンピース200から指を離すと、静電容量が変化せず、静電容量式のタッチパネル側からアイコンピース200を検出することができなくなる。
（アイコンピース200の使用方法）
つぎに、図２５及び図２６を用いて、アイコンピース200の使用方法について説明する。
【０１２２】
アイコンピース200については、図示しないが、これに付属する観光データ格納領域80（図１３参照）を、携帯情報表示端末20の記憶部102（図１１参照）に予め記憶させておく。
アイコンピース200に付属する観光データ格納領域80（図１３参照）のうち、位置情報記憶領域81にはアイコンピース200が模した観光スポットの緯度経度が記憶されている。観光スポット名記憶領域82には、当該観光スポットの名称が記憶されている。画像記憶領域83には、当該観光スポットの静止画、並びに地図画像50上に埋め込む２Ｄの観光用アイコン画像71（図６及び図１３参照）が記憶されている。文字記憶領域84には、当該観光スポットの観光説明が記憶されている。
（図２５の説明）
携帯情報表示端末20の表示部21上に、図２５に示すように、地図画像50を表示しておく。
【０１２３】
アイコンピース200を指で摘んで、地図画像50上に載置する。
地図画像50上に載置すると、アイコンピース200に付属する観光データ格納領域80（図１３参照）の位置情報記憶領域81に記憶された緯度経度が読み出される。
（図２６の説明）
読み出した緯度経度にもとづき、図２６に示すように、表示部21中において地図画像50自体を移動させる。
【０１２４】
すなわち、アイコンピース200の真下に、読み出した緯度経度と等しい地図画像50上の緯度経度を位置させる。
その後、図示しないが、地図画像50上に、観光データ表示ウインドウ75（図７参照）を表示し、アイコンピース200が模した観光スポットの名称、画像、観光説明を表示するようにしても良い。
【０１２５】
また、アイコンピース200に付属する観光データ格納領域80（図１３参照）の画像記憶領域83に記憶された２Ｄの観光用アイコン画像71（図６及び図１３参照）を読み出し、読み出した緯度経度と等しい地図画像50上の緯度経度に貼り付ける。
これは、ユーザーが、アイコンピース200から指を離すと、静電容量が変化せず、静電容量式のタッチパネル側からアイコンピース200を検出することができなくなるためである。
【０１２６】
なお、図示しないが、３Ｄのアイコンピース200を置き直したり、或いは２Ｄの観光用アイコン画像71をクリックすると、地図画像50上に、名称、写真、観光説明等が表示された観光データ表示ウインドウ75を表示させることができる。
その際に、マップ情報提供サーバー30に更新データがあるか否かを確認にいき、更新データが存在する場合には、ダウンロードして、更新した最新のデータを観光データ表示ウインドウ75に表示させるようにすると良い。
（バリエーション）
本発明のバリエーションとしては、次の点が考えられる。
【０１２７】
（１）経度緯度をキーにしてスマホ、ＴＶ（一般的なＴＶのほか、アップル社（登録商標）が開発・販売するセットトップボックスを含み、いわゆる「スマートＴＶ」を含む。）、ＰＣ（タブレットＰＣ、ノートＰＣ）、カーナビゲーション（カーナビ）の画面上のマップと連動する。
（２）画面上でデータを「出す」こともできる。例えば２Ｄのアイコンが出る、動画が出る、テキストデータが出る。
【０１２８】
（３）外部データの記憶媒体として、フィギュア型のＵＳＢメモリーを使用する。
（４）ビジネスユースとして、マップ上で、エリアデータ(例えば地勢データ)、駐車場データ、空き地データ、空き部屋データ等がグラフとして、表として、企画書として画面上に展開する。
（５）観光データとして、マップ上で、「桶狭間の戦い」のアニメ等、東京スカイツリー（登録商標）の動画、レストランメニュー等の動画、エリア内を走るドライブコースの動画、散策上の動画等が画面上に展開する。
【０１２９】
（６）旅行代理店の営業所の販売カウンターにあるタブレットＰＣ、ノートＰＣ等で使用する。
（７）「旅行代理店」、「鉄道会社」、「カーナビメーカー」、「ツアー商品」と「観光スポット」、「グルメ情報」、「観光コース」等の２Ｄ或いは３Ｄのアイコンを用意し、スマホ、ＴＶ、ＰＣ（タブレットＰＣ、ノートＰＣ）、カーナビ上で表示する。
【０１３０】
（８）自治体、鉄道会社、キオスク、自動車メーカー、カーナビメーカー、旅行代理店、ホテル・旅館等、コンビニ、お土産店、観光スポットや駐車場の所有者・管理者を広告主として、２Ｄ或いは３Ｄのアイコンを提供する。
（９）カーナビの場合、サービスエリア（ＳＡ）やパーキングエリア（ＰＡ）、インターチェンジ（ＩＣ）を基点とした「ドライブコース」と「観光スポット」、「グルメ情報」となる。
【０１３１】
（１０）「空のアイコン」も用意されており、スマホ、ＴＶ（一般的なＴＶ、スマートＴＶ）、ＰＣ（タブレットＰＣ、ノートＰＣ）、カーナビを通じて入力できる。
（１１）既報のスマホ、ＴＶ（一般的なＴＶ、スマートＴＶ）、ＰＣ（タブレットＰＣ、ノートＰＣ）、カーナビでのアプリケーション（アプリ）を用意し、読み取りと書込みを実行する。
【符号の説明】
【０１３２】
（第１の実施の形態）
10  地図画像表示制御システム
20  携帯情報表示端末          21  表示部
30  マップ情報提供サーバー    40  アイコン提供ステーション
41  レシート                  42  バーコード
50  地図画像
51  ロードマップ画像          52  イラストマップ画像
60  外部データ
61  アイコンデータ            62  地図画像表示制御プログラム
70  アイコン画像              71  観光用アイコン画像
72  移動アイコン画像          73  フリーアイコン画像
74  アイコンボックス          75  観光データ表示ウインドウ
80  観光データ格納領域
81  位置情報記憶領域          82  観光スポット名記憶領域
83  画像記憶領域              84  文字記憶領域
85  音声記憶領域              86  フラグ格納領域
90  アイコンラリー画像        91  サービス券画像
100  中央制御装置
101  制御部                   102  記憶部
110  操作部                   120  音声入力部
130  撮影部                   140  位置情報取得部
141  ＧＰＳ装置               142  加速度センサー
150  外部データ取込部         160  通信部
170  音声発生部
（第２の実施の形態）
200  アイコンピース
【図１】
2014224900.tif 000003
【図２】
2014224900.tif 000004
【図３】
2014224900.tif 000005
【図４】
2014224900.tif 000006
【図５】
2014224900.tif 000007
【図６】
2014224900.tif 000008
【図７】
2014224900.tif 000009
【図８】
2014224900.tif 000010
【図９】
2014224900.tif 000011
【図１０】
2014224900.tif 000012
【図１１】
2014224900.tif 000013
【図１２】
2014224900.tif 000014
【図１３】
2014224900.tif 000015
【図１４】
2014224900.tif 000016
【図１５】
2014224900.tif 000017
【図１６】
2014224900.tif 000018
【図１７】
2014224900.tif 000019
【図１８】
2014224900.tif 000020
【図１９】
2014224900.tif 000021
【図２０】
2014224900.tif 000022
【図２１】
2014224900.tif 000023
【図２２】
2014224900.tif 000024
【図２３】
2014224900.tif 000025
【図２４】
2014224900.tif 000026
【図２５】
2014224900.tif 000027
【図２６】
2014224900.tif 000028